(57)【特許請求の範囲】
【請求項１】
上部を着脱自在のタンク蓋で覆い冷却水を蓄えたタンク本体と、前記タンク本体の周りを覆い溶接または切断装置本体に固定したケースと、前記タンク蓋に貫通させタンク本体内の冷却水を吸い込む吸い込み管と、前記吸い込み管に接続し前記溶接または切断装置本体に冷却水を循環させるポンプと、前記溶接または切断装置本体を冷却して温度が上昇した冷却水を冷却する冷却手段と、前記タンク蓋に貫通させ前記冷却手段で冷却した冷却水を前記タンク本体内に戻す排水管とを備え、前記ポンプは前記タンク本体ならびに前記タンク蓋以外の箇所に設置し、前記タンク本体が前記タンク蓋，前記ケース，前記吸い込み管および前記排水管より分離可能としたことを特徴とする溶接または切断装置。
【請求項２】
吸い込み管および排水管をタンク蓋に固定し、前記タンク蓋を前記タンク本体より外すことにより、前記タンク本体を前記タンク蓋，前記ケース，前記吸い込み管および前記排水管より分離可能としたことを特徴とする請求項１記載の溶接または切断装置。
【発明の詳細な説明】
【０００１】
【発明の属する技術分野】
この発明は、冷却水を循環させる機能を有した溶接作業に使用する溶接用水冷トーチや切断作業に使用する切断用水冷トーチ等の溶接または切断装置に関するものである。
【０００２】
【従来の技術】
従来の溶接または切断装置を図３に示す。
図３において、４１は冷却水４２を蓄えるタンク本体で、溶接または切断装置本体５５の電源部４３に固定されている。４４は冷却水４２がタンク本体４１からこぼれるのを防止するタンク蓋で、４５は冷却水４２を循環させるポンプであってタンク蓋４４の上に載置固定されている。４６はポンプ４５が冷却水４２を吸い上げるための吸い込み管、４７はポンプ４５から溶接または切断装置本体５５の電源部４３内を通って溶接用または切断用水冷トーチ（図示せず）に冷却水４２を送る給水管、４８は溶接用または切断用水冷トーチから電源部４３内を通ってラジエータ４９までの冷却水４２の復路となる戻り管、５０はタンク本体４１内に冷却水４２を戻す排水管である。また、５１はタンク本体４１内に冷却水４２を供給するための給水栓、５２はポンプ４５などを保護するカバー、５３はタンク本体４１内の冷却水４２を抜き取るための排水孔、５４は排水孔５３の栓となる排水栓である。
【０００３】
この溶接または切断装置において、冷却水４２の循環経路（矢印にて冷却水４２の流れを示す）を説明すると、タンク本体４１内の冷却水４２は吸い込み管４６を通ってポンプ４５に吸い上げられ、給水管４７から溶接用または切断用水冷トーチに送られ、トーチ先端およびパワーケーブル（図示せず）を冷却すると同時に冷却水４２の水温は上昇し、上昇した冷却水４２は戻り管４８を通って、ラジエータ４９で冷却され、タンク本体４１内に戻る。
【０００４】
【発明が解決しようとする課題】
しかしながら、従来の溶接または切断装置では、数カ月使用するとタンク本体４１内に、スケールや塵などが付着したり堆積し、これを除去するためにタンク本体４１内の掃除を行う場合、タンク本体４１内の汚れた冷却水４２をタンク本体４１下部の排水孔５３より抜き取るために、タンク本体４１を排水場まで移動させるが、タンク本体４１は溶接または切断装置本体５５の電源部４３に固定されているので、電源部４３も移動させなければならず、過大な労力が必要になるという問題があった。
【０００５】
また、タンク本体４１内の掃除を行うためにタンク蓋４４をタンク本体４１より取り外すが、タンク蓋４４の上には重いポンプ４５が固定されているので、タンク蓋４４を取り外す時も不要な労力が必要になるという問題があった。
また、タンク蓋４４を取り外した後、タンク本体４１内の掃除のため洗浄を行うが、タンク本体４１を洗浄場まで移動させることは、上記の排水場までの移動と同様、過大な労力が必要になるという問題があった。
【０００６】
さらに、構造上タンク本体４１を逆にして冷却水４２を抜き取ることができないので、タンク本体４１下部には排水孔５３を設けているが、排水孔５３の栓となる排水栓５４が十分に閉まっていないと、そこから冷却水４２が漏れるという問題もあった。
この発明は上記従来の問題点を解決するものであり、タンク本体の移動が簡単に行え、タンク蓋の取り外し時に不要な労力を必要とせず、タンク本体下部から冷却水が漏れるのを防止することができる溶接または切断装置を提供することを目的とする。
【０００７】
【課題を解決するための手段】
請求項１記載の溶接または切断装置は、上部を着脱自在のタンク蓋で覆い冷却水を蓄えたタンク本体と、タンク本体の周りを覆い溶接または切断装置本体に固定したケースと、タンク蓋に貫通させタンク本体内の冷却水を吸い込む吸い込み管と、吸い込み管に接続し溶接または切断装置本体に冷却水を循環させるポンプと、溶接または切断装置本体を冷却して温度が上昇した冷却水を冷却する冷却手段と、タンク蓋に貫通させ冷却手段で冷却した冷却水をタンク本体内に戻す排水管とを備え、ポンプはタンク本体ならびにタンク蓋以外の箇所に設置し、タンク本体がタンク蓋，ケース，吸い込み管および排水管より分離可能としたことを特徴とするものである。
【０００８】
請求項１記載の溶接または切断装置によると、タンク本体がタンク蓋，ケース，吸い込み管および排水管より分離可能としたので、タンク本体は単体で溶接または切断装置本体に固定したケースより取り外すことができ、タンク本体を単体で排水場および洗浄場まで移動でき、過大な労力を必要とせずにタンク本体内を掃除することができる。また、タンク本体内に冷却水を供給する作業においても、タンク本体単体で移動できるので、簡単に給水作業が行え、別途給水栓を設ける必要はない。また、ポンプはタンク本体ならびにタンク蓋以外の箇所に設置してあるので、タンク本体の移動が楽に行え、かつタンク蓋をタンク本体より取り外す際も、タンク蓋には重いポンプが固定されていないので不要な労力を必要としない。さらに、タンク本体は単体でケースより取り外せるので、タンク本体を上下逆にして中の冷却水を抜き取ることができ、タンク本体下部に排水孔を設ける必要がなく、タンク本体下部から水が漏れるのを防止できる。
【０００９】
請求項２記載の溶接または切断装置は、請求項１において、吸い込み管および排水管をタンク蓋に固定し、タンク蓋をタンク本体より外すことにより、タンク本体をタンク蓋，ケース，吸い込み管および排水管より分離可能としたことを特徴とするものである。
請求項２記載の溶接または切断装置によると、請求項１の作用に加え、吸い込み管および排水管をタンク蓋に固定したので、タンク蓋をタンク本体より外すだけで吸い込み管および排水管の取り外しも行え、作業が簡単となる。
【００１０】
【発明の実施の形態】
この発明の一実施の形態について図１を参照しながら説明する。
図１において、冷却水２を蓄えた樹脂製またはステンレスなどの金属製等のタンク本体１の上にタンク蓋３が設けられ、タンク本体１の周りはケース４で覆われ、ケース４は溶接または切断装置本体１３の電源部５に固定されている。ポンプ６はケース４の上水平部４ａに載置固定され、カバー７で保護されている。ポンプ６が冷却水２を吸い上げるための吸い込み管８は、金属管またはゴムホースなどで形成され、ポンプ６からタンク蓋３を貫いてタンク本体１内の底近くまで延設されている。また、溶接または切断装置本体１３の電源部５内には、ポンプ６から溶接用または切断用水冷トーチ（図示せず）に冷却水２を送る給水管９、溶接用または切断用水冷トーチから冷却水２の復路となる戻り管１０および水温が上昇した冷却水２を冷却する冷却手段となるラジエータ１１が設けられている。さらに、ラジエータ１１より冷却された冷却水２をタンク本体１内に戻す排水管１２は、金属管またはゴムホースなどで形成され、ラジエータ１１からタンク蓋３を貫いてタンク本体１内の上部にまで延設されている。
【００１１】
このように構成された溶接または切断装置によると、タンク本体１内にスケールや塵などが付着したり堆積し、これを除去するためにタンク本体１内の掃除を行う場合、タンク蓋３より吸い込み管８および排水管１２を抜いて、タンク蓋３をタンク本体１より取り外すことによりタンク本体１は単体で溶接または切断装置本体１３の電源部５に固定されているケース４より取り外すことがで可能となる。これにより、タンク本体１を単体で排水場および洗浄場まで移動させることができるので、過大な労力を必要とせずにタンク本体１内を掃除することができる。同様に、タンク本体１内に冷却水２を給水する作業においてもタンク本体１単体で移動可能であるため簡単に給水作業が行え、別途給水栓を設ける必要はなく構造が簡単となる。また、タンク本体１を樹脂製にすることで，タンク本体１自体が軽量になるので移動が楽になる。
【００１２】
また、ポンプ６はタンク本体１ならびにタンク蓋３以外の箇所に設置してあるので、タンク本体１の移動が楽に行え、かつタンク蓋３をタンク本体１より取り外す時も、タンク蓋３には重いポンプ６が固定されていないので不要な労力を必要としない。
また、タンク本体１は単体でケース４より取り外せるので、タンク本体１を上下逆にして中の冷却水２を抜き取ることができるので、タンクタンク本体１下部に排水孔を設ける必要がなく構造が簡単となり、タンク本体１下部から冷却水２が漏れるのも防止することができる。
【００１３】
この発明の他の実施の形態について図２を参照しながら説明する。なお、図１に示した例と同一部分は同一符号を付してその説明を省略する。
図２において、２１はタンク本体、２２はタンク蓋、２３はケース、２４は溶接または切断装置本体１３の電源部５に突設したポンプ支持台、２５はポンプ支持台２４に載置固定したポンプ、２６は吸い込み管、３０は排水管である。吸い込み管２６は、途中にねじ等のジョイント部２９を設けて上部吸い込み管２７と下部吸い込み管２８に分割してある。排水管３０も、途中にねじ等のジョイント部３３を設けて上部排水管３１と下部排水管３２に分割してある。下部吸い込み管２８と下部排水管３２はタンク蓋２２に貫通させかつタンク蓋２２に固定して一体化してある。
【００１４】
このように構成された溶接または切断装置においても、前記第１の実施の形態と同様の効果が得られる。さらに、タンク本体２１内の掃除においてタンク本体２１より吸い込み管２６，排水管３０およびタンク蓋２２を取り外す際、ジョイント部２９，３３を外すことにより、下部吸い込み管２８，下部排水管３２およびタンク蓋２２は一体で取り外すことができるので、取り外し作業が簡単に行える。
【００１５】
【発明の効果】
請求項１記載の溶接または切断装置によると、タンク本体がタンク蓋，ケース，吸い込み管および排水管より分離可能としたので、タンク本体は単体で溶接または切断装置本体に固定したケースより取り外すことができ、タンク本体を単体で排水場および洗浄場まで移動でき、過大な労力を必要とせずにタンク本体内を掃除することができる。また、タンク本体内に冷却水を供給する作業においても、タンク本体単体で移動できるので、簡単に給水作業が行え、別途給水栓を設ける必要はない。また、ポンプはタンク本体ならびにタンク蓋以外の箇所に設置してあるので、タンク本体の移動が楽に行え、かつタンク蓋をタンク本体より取り外す際も、タンク蓋には重いポンプが固定されていないので不要な労力を必要としない。さらに、タンク本体は単体でケースより取り外せるので、タンク本体を上下逆にして中の冷却水を抜き取ることができ、タンク本体下部に排水孔を設ける必要がなく、タンク本体下部から水が漏れるのを防止できるという効果が得られる。
【００１６】
請求項２記載の溶接または切断装置によると、請求項１の効果に加え、吸い込み管および排水管をタンク蓋に固定したので、タンク蓋をタンク本体より外すだけで吸い込み管および排水管の取り外しも行え、取り外し作業が簡単になるという効果が得られる。
【図面の簡単な説明】
【図１】この発明の一実施の形態の溶接または切断装置の構成図である。
【図２】この発明の他の実施の形態の溶接または切断装置の構成図である。
【図３】従来例の溶接または切断装置の構成図である。
【符号の説明】
１，２１  タンク本体
２  冷却水
３，２２  タンク蓋
４，２３  ケース
５  溶接または切断装置本体の電源部
６，２５  ポンプ
８，２６  吸い込み管
１１  ラジエータ（冷却手段）
１２，３０  排水管
１３  溶接または切断装置本体
【図１】
0003725320.tif 000002
【図２】
0003725320.tif 000003
【図３】
0003725320.tif 000004